(57)【要約】      （修正有）【課題】警察関係の車両、災害援助車などに車両用ポールを設置するにあたり、機器の取り付けに作業者が屋根に上る必要がなく、またこれに伴って、屋根の補強や防滑処理を必要以上に行う必要もなく、さらには使用状態にある機器類の確認作業を、車両の内方から容易に行うことのできる車両用ポール収納装置を提供すること。【解決手段】箱状に形成された車両の屋根の一部を開口させ、この開口部を開閉自在な蓋体２０で覆うとともに、開口部の内方に、送受信機用アンテナやカメラなどの機器を着脱自在に取り付けるための伸縮自在なポール２２を収納し、ポール２２の基端部２２ａは車両１２の床面に固定設置するとともに、ポール２２の先端部２２ｂは収納状態において屋根の上面より下方に配置したことを特徴としている。【選択図】図２
2017007557.tif 000002
【特許請求の範囲】
【請求項１】
車両の屋根の一部を開口し、この開口部を開閉自在な蓋体で覆うとともに、前記開口部の内方に、送受信機用アンテナやカメラなどの機器を着脱自在に取り付けるための伸縮自在なポールを収納し、
前記ポールの基端部は前記車両の床面に固定設置するとともに、前記ポールの先端部は、前記ポールの収納状態において前記屋根の上面より下方に配置したことを特徴とする車両用ポール収納装置。
【請求項２】
前記ポールには、前記送受信機用アンテナや前記カメラなどによる情報送信用のケーブルや、電源用ケーブルなどが束ねられた状態で予め取り付けられていることを特徴とする請求項１に記載の車両用ポール収納装置。
【請求項３】
前記ポールは前記開口部の内方において、箱体の底面を貫通する態様で収容されているとともに、
この箱体の側面には視認性が良好で開閉自在なガラス製の扉体が具備され、かつ、前記箱体の底面には、排水用のドレンホースが取り付けられていることを特徴とする請求項１または２に記載の車両用ポール収納装置。
【発明の詳細な説明】
【技術分野】
【０００１】
本発明は、車両用ポール収納装置に関し、詳しくは、警察車両、災害支援車、放送中継車などの様々な特装車に適用可能な車両用ポール収納装置に関する。
【背景技術】
【０００２】
例えば、災害地へ調査や支援に赴く警察車両、災害支援車などでは、連絡用の送受信機用アンテナ、撮影用のカメラ、照明器具、あるいはスピーカなど様々な機器を、車高より数メートル高い位置に設置したい場合がある。
【０００３】
そのため、この種の車両には、予め伸縮自在のポールが具備されており、送受信機用アンテナ、撮影用のカメラ、照明器具、あるいはスピーカなどの機器を使用する時に、このポールを利用して高い位置に設置するようにしている。
【０００４】
図３（Ａ）、（Ｂ）は、このような伸縮自在のポール４を取り付けるための従来の車両用ポール収納装置を備えた車両２を示したものである。
従来の車両用ポール収納装置を備えた車両２では、例えば、伸縮自在な４段構成のポール４が採用されている。
【０００５】
ポール４における基部側の４段目４ａの長さＬは、車両２の床面６から屋根８までの高さに比べて短い。このような場合、ポール４の基部側の下方に台座７を配置しないと、屋根８の上でポール４を伸ばしていく作業を行うことができない。
【０００６】
このように台座７を利用して、４段構成のポール４を設置した場合、ポール４の先端部４ｂの位置は、屋根８より３０cm程度上方に突出して配置されることになる。
また、情報送信用の信号線や電源ケーブルなどの複数本の線が予め１本のケーブル５として束ねられ、この束ねられた１本のケーブル５は屋根８上に螺旋状にまとめて配置される。
【０００７】
一方、送受信機用アンテナ、カメラ、照明器具、スピーカなどの機器を、設置するためには、先ず、作業者が屋根８の上に上り、束ねられた１本のケーブル５の中から必要な線を選択し、次いで、その選択された線の端末に設けられた接続端子に、送受信機用アンテナやカメラなどを取付けする。そして、この状態から、ポール４の１段目、２段目、３段目と上方に順次延ばしていき、これにより、ポール４の１段目の先端部４ｂに取付られた送受信機用アンテナ、カメラ、照明器具、スピーカなどの機器を高い位置に設置している。
【０００８】
ところで、このようにポール４に所望とする機器を取り付けて、屋根８より高い位置にそれらを設置したり、取り外したりする場合には、作業者が屋根８の上に上ってからでないと、機器の取付けや機器の取外し作業を行うことができない。また、設置する機器によっては屋根８に乗せるまでに、地上、はしごの途中、屋根８の上に複数人の作業者を要する場合もある。そのため、機器の取付け取外し作業が手間であるという問題があった。
【０００９】
また、このように作業者が屋根８の上に上って作業を行う場合には、安全対策として屋根８の上面に作業者の落下防止用安全帯を引っ掛けるバー１１やフック１３の装着が必要なうえ、作業者の体重により屋根８が凹んだりすることがせぬよう、屋根８を強固に補強することが必要である。
【００１０】
しかしながら、屋根８を強固に補強した場合には、その分重心の位置が高くなって走行安定性が損なわれてしまう。また、屋根８の上で作業を行う場合には、屋根８の表面に防滑処理を行う必要もある。勿論、梯子１０を用意する必要もある。
【００１１】
また、上記のようにしてポール４を収納する従来の車両用ポール収納装置では、ポール４の先端部４ｂが、通常車体の屋根８の上に数十センチ程度突出しているため、車両２がガード下などを走行する場合には、ポール４の先端部４ｂが、そのガードに衝突しないように注意する必要があった。
【００１２】
さらに、災害地などの現場において、ポール４の先端部４ｂに取付けられたカメラなどの機器の状態を目視により確認したい場合には、作業者が車両２の外に出て車両２から若干離れた位置に移動しないと、作業者はその機器類を確認することができず、確認に手間がかかるという問題があった。
また、使用しないときの機器類の盗難を避けるためには、それらの機器類を取り外す必要があった。
【発明の概要】
【発明が解決しようとする課題】
【００１３】
本発明は、このような実情に鑑みてなされたもので、警察車両、災害援助車など予め伸縮自在のポールを具備する車両において、そのポールの先端部に送受信機用アンテナやカメラなどの機器を設置するにあたり、作業者が屋根の上に上って作業する必要がなく、また、それに伴い屋根を必要以上に強固に補強しなくて良く、さらに屋根の表面に防滑処理を行う必要もなく、加えて、使用しないときに盗難防止のためにその都度機器類を取り外すことも不要であり、またポール上に取付けられた機器類を目視で確認する場合に、作業者が車両の内方から容易に確認することのできる車両用ポール収納装置を提供することを目的としている。
【課題を解決するための手段】
【００１４】
上記目的を達成するための本発明に係る車両用ポール収納装置は、
車両の屋根の一部を開口し、この開口部を開閉自在な蓋体で覆うとともに、前記開口部の内方に、送受信機用アンテナやカメラなどの機器を着脱自在に取り付けるための伸縮自在なポールを収納し、
前記ポールの基端部は前記車両の床面に固定設置するとともに、前記ポールの先端部は、前記ポールの収納状態において前記屋根の上面より下方に配置したことを特徴としている。
【００１５】
このような構成であれば、作業者が屋根に上らずとも、送受信機用アンテナやカメラなどの機器類を車両の内方からポールの先端部に着脱自在に取り付けることができる。また、雨仕舞いも蓋体で行うことができる。
【００１６】
さらに、本発明では、前記ポールには、前記送受信機用アンテナや前記カメラなどによる情報送信用のケーブルや、電源用ケーブルなどが束ねられた状態で予め取り付けられていることが好ましい。
このような構成であれば、現場で行う機器類の取付け作業を容易にすることができる。
【００１７】
また、本発明では、前記ポールは前記開口部の内方において、箱体の底面を貫通する態様で収容されているとともに、
この箱体の側面には視認性が良好で開閉自在なガラス製の扉体が具備され、かつ、前記箱体の底面には、排水用のドレンホースが取り付けられていることが好ましい。
【００１８】
このような構成であれば、視認性が良好なガラス製の扉体を介して内部の様子を確認することができるとともにガラス製の扉体を開いた状態にすれば、車両の内方から箱体の内部に手を差し込んで、この箱体内で機器などの取付け取外し作業を行うことができ、しかも箱体の底面における排水性が良好であり、雨天でも排水に困ることはない。
【発明の効果】
【００１９】
本発明に係る車両用ポール収納装置では、非使用時の短くコンパクトにされたポールの先端部が車両内の開閉自在な開口部内に配置されているので、作業者は車両の中から機器の取付け、及び取外し作業を行うことができる。したがって、機器の取付け取外し作業が容易である。
【００２０】
また、本発明によれば、屋根の強度を必要以上に強固にする必要もなく、さらに屋根の表面に必要以上の防滑処理を施す必要もない。
したがって、重心の位置が高くなることはないので、走行安定性が損なわれることもない。また、機器取り付けのために梯子などを用意する必要もない。
一方、使用しないときに盗難防止のためその都度機器類を取り外す作業が不要である。
【図面の簡単な説明】
【００２１】
【図１】図１は、本発明の一実施例に係る車両用ポール収納装置が具備された車両の概略側面図である。
【図２】図２は、図１に示した車両用ポール収納装置の要部を示す斜視図である。
【図３】図３（Ａ）は、従来の車両用ポール収納装置が具備された車両の概略側面図、図３（Ｂ）は、図３（Ａ）に示した車両の概略斜視図である。
【発明を実施するための形態】
【００２２】
以下、図面を参照しながら本発明の一実施例について説明する。
図１は、本発明の一実施例に係る車両用ポール収納装置が具備された車両の概略側面図で、図２は、図１に示した車両に具備された車両用ポール収納装置の概略斜視図である。
【００２３】
図１に示したように、例えば、移動型最前線指揮官車と称される警察の車両１２では、車両１２の後方側の屋根１６の一部を陥没させ、この陥没して形成された開口部１８の内方に箱体２４が収納され、さらに開口部１８の上部開口を覆うように、両開きすなわち観音扉の蓋体２０が、この開口部１８に対して電動あるいは油圧方式で開閉自在に設置されている。なお、本実施例では、開口部１８の上部が箱体２４の上部と実質的に同一である。
【００２４】
一方、図２に示したように、箱体２４内には、伸縮自在なポール２２が箱体２４の底面を上下に貫通して配置され、非使用状態では、ポール２２が図２の状態より短くコンパクトにされた状態で収容される。
【００２５】
このポール２２の基端部２２ａは、図１に示したように車両１２の床面２６上に固定設置され、短くコンパクトにされたときのポール２２の先端部２２ｂは、非使用状態において箱体２４内に配置される。すなわち、ポール２２の先端部２２ｂは、非使用時において図１に示したように、屋根１６より下方に位置している。
【００２６】
このように非使用時に短く、使用時にのみ高く延伸される伸縮自在のポール２２の周面には、情報送信用の信号線や電源用の電線など数種の線が一つに束ねられてなるケーブル５が、図２に示したように、螺旋状に巻き付けられている。
【００２７】
また、屋根１６の内方に収納された箱体２４における少なくとも一つの側面には、ガラス窓を備えた扉体２８が具備されている。さらに、箱体２４の底面には排水性を確保するためにドレンホース２５が接続されている。これにより、雨天のときなどに蓋体２０を介して箱体２４内に入り込む雨水は、ドレンホース２５を介して外部に排出される。
【００２８】
箱体２４の一側面に、ガラス板が嵌め込まれたガラス製の扉体２８が具備されることにより、図１に示した車両１２内から箱体２４内を覗き込むことができる。そして、扉体２８を開けば、箱体２４内で手作業などを行なうことができる。
さらに、ガラス製の扉体２８を開けずとも、作業者は箱体２４の外側からガラス越しに周囲を見渡すことができる。
【００２９】
したがって、作業者は箱体２４の中に手を入れて箱体２４内で機器の取付け、あるいは取外し作業を行うことができるとともに、箱体２４の外側からポール２２の先端部２２ｂの様子を確認することができる。
なお、蓋体２０の開閉及び扉体２８の開閉は手動で行っても良く、あるいは自動で行っても良い。
以下、本実施例の車両用ポール収納装置の作用について説明する。
【００３０】
本実施例では、災害地などにおいて機器設置のためにポール２２の使用が必要になった時には、先ず箱体２４の扉体２８を開く。そして、作業者は箱体２４の内方に手を入れて、この箱体２４の中での手作業によりポール２２の先端部２２ｂに必要な機器３０を取付ける。
【００３１】
一方、これに前後して箱体２４の天井部の蓋体２０を開く。
このようにして機器３０を取付けし、さらに蓋体２０を開としたら、ポール２２の先端部２２ｂを上方に延伸させていく。ポール２２を上方に伸ばしていく作業、あるいは短く縮めていく作業も、自動あるいは手動で行っても良い。
【００３２】
このように、ポール２２の先端部２２ｂを上方に延伸させていけば、先端部２２ｂに取り付けた機器３０を、屋根１６より数メートル高い位置にセットすることができる。
したがって、本実施例によれば、屋根１６の上に作業者が上らなくても、機器３０を屋根１６より高い所にセットすることができる。
【００３３】
また、ポール２２の先端部２２ｂに取り付けた機器３０の設置状態などを確認したい場合には、作業者は車両１２の内方から箱体２４の扉体２８のガラス越しに上方を見上げれば、ポール２２の先端部２２ｂに具備された機器３０の状態を確認することができる。
したがって、本実施例では、機器３０の確認のために車両１２の外部に出て車両１２から離れる必要がない。
【００３４】
また、本実施例では、蓋体２０を開いた状態としても、内部にドレンホース２５が具備されているので、箱体２４内に水が溜まってしまうことがない。
さらに、ポール２２の先端部２２ｂから機器３０を取外したい場合には、上記と反対の動作を行えば容易に取り外すことができる。すなわち、箱体２４び扉体２８を開いた状態にし、ここに形成される開口部に手を挿入し、さらにポール２２の全長を短くし、その後、ポール２２の先端部２２ｂから機器３０を取外せば良い。
このように、本実施例では、作業者は屋根１６の上に上らずに、機器３０の取付け取外しを、車両１２の内方から行うことができる。
【００３５】
また、取り付けられた機器３０の向きなどを調整したい場合にも、作業者は屋根１６の上に上る必要がない。この場合も箱体２４の扉体２８を開いた状態とし、かつポール２２を短くした状態にし、この状態から箱体２４内に手を挿入し、機器３０の向き調整などを行えば良い。
【００３６】
以上、本発明の一実施例について説明したが、本発明は、この実施例に何ら限定されない。
例えば、上記実施例では、ポール２２の先端部２２ｂに機器３０を一つ取り付けているが、取り付ける機器は１つに限定されず、例えば、スピーカと照明器具など、２つ以上の機器を設置することもできる。
【００３７】
また、箱体２４に設けたガラス製の扉体２８は、一側面に設けることに限定されず、２面あるいは４面全てに設けても良いし、ガラス製の扉体２８に限らずガラス壁でも良い。このようなガラス製の扉体２８あるいはガラス壁を複数面に設ければ、ポール上端の視認性がさらに良好になる。
【００３８】
また、上記実施例では、車両１２として警察の移動型最前線指揮官車を例にしたが、本発明は、災害支援車、放送中継車など、他の様々な特装車に適用可能である。
さらに、ポール２２の設置場所は、車両１２の後方側に限定されず、車両１２の前方側あるいは側面など他の場所であっても良い。
また、ケーブル５は、ポール２２に螺旋状に巻回することに限定されず、ポール２２の内部を通しても良い。
【符号の説明】
【００３９】
１２    車両
１６    屋根
１８    開口部
２０    蓋体
２２    ポール
２２ａ  基端部
２２ｂ  先端部
２４    箱体
２４ａ  底面
２５    ドレンホース
２６    床面
２８    扉体
３０    機器
【図１】
2017007557.tif 000003
【図２】
2017007557.tif 000004
【図３】
2017007557.tif 000005
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
車両の屋根より高い位置に送受信機用アンテナ、カメラ、照明器具、スピーカの少なくともいずれか１つを設置する警察車両または災害支援車において、
車両の屋根の一部を開口し、この開口部を開閉自在な蓋体で覆うとともに、前記開口部の内方に、送受信機用アンテナ、カメラ、照明器具、スピーカの少なくともいずれか１つを着脱自在に取り付けるための伸縮自在なポールを収納し、
前記ポールの基端部は前記車両の床面に固定設置するとともに、前記ポールの先端部は、前記ポールの収納状態において前記屋根の上面より下方に配置し、
前記ポールには、前記送受信機用アンテナまたは前記カメラによる情報送信用のケーブルまたは電源用ケーブルが束ねられた状態で予め取り付けられており、
前記ポールは前記開口部の内方において、箱体の底面を貫通する態様で収容されているとともに、
この箱体の側面には視認性が良好で開閉自在な扉体が具備され、かつ、前記箱体の底面には、排水用のドレンホースが取り付けられていることを特徴とする車両用ポール収納装置。
【手続補正２】
【補正対象書類名】明細書
【補正対象項目名】００１４
【補正方法】変更
【補正の内容】
【００１４】
上記目的を達成するための本発明に係る車両用ポール収納装置は、
車両の屋根より高い位置に送受信機用アンテナ、カメラ、照明器具、スピーカの少なくともいずれか１つを設置する警察車両または災害支援車において、
車両の屋根の一部を開口し、この開口部を開閉自在な蓋体で覆うとともに、前記開口部の内方に、送受信機用アンテナ、カメラ、照明器具、スピーカの少なくともいずれか１つを着脱自在に取り付けるための伸縮自在なポールを収納し、
前記ポールの基端部は前記車両の床面に固定設置するとともに、前記ポールの先端部は、前記ポールの収納状態において前記屋根の上面より下方に配置し、
前記ポールには、前記送受信機用アンテナまたは前記カメラによる情報送信用のケーブルまたは電源用ケーブルが束ねられた状態で予め取り付けられており、
前記ポールは前記開口部の内方において、箱体の底面を貫通する態様で収容されているとともに、
この箱体の側面には視認性が良好で開閉自在な扉体が具備され、かつ、前記箱体の底面には、排水用のドレンホースが取り付けられていることを特徴としている。
【手続補正３】
【補正対象書類名】明細書
【補正対象項目名】００１６
【補正方法】変更
【補正の内容】
【００１６】
さらに、本発明では、前記ポールには、前記送受信機用アンテナや前記カメラなどによる情報送信用のケーブルや、電源用ケーブルなどが束ねられた状態で予め取り付けられているので、現場で行う機器類の取付作業を容易にすることができる。
【手続補正４】
【補正対象書類名】明細書
【補正対象項目名】００１７
【補正方法】変更
【補正の内容】
【００１７】
また、本発明では、前記ポールは前記開口部の内方において、箱体の底面を貫通する態様で収容されているとともに、
この箱体の側面には視認性が良好で開閉自在な扉体が具備され、かつ、前記箱体の底面には、排水用のドレンホースが取り付けられている。